(57)【要約】      （修正有）【課題】簡単に空間や窓が作れ、壁面や天上面や床面が、簡単に取り替えられる工法を提供する。【解決手段】柱の四面に陥凹部と係合凸部を付けて、はめ込み式にした。高さの違うものを一段目に順次並べると段差が出来る。二段目からは背の高いものを、組み重ねると上下左右前後かみ合い組み重なる。この背の高いものの両内側の壁に陥凹部と係合凸部がある。この部分に支え板をはめ込むと、背の低いものの上部で支えられる。この谷間に背の高いものを、組み重ねると支え板の高さだけ空間や窓が出来る。又、柱の四面に陥凹部と係合凸部が付いているので、係合凸部又は陥凹部のはめ込み板もしくは、取り替え板を組み入れたり、又は取り外したりすることが簡単に出来る。【選択図】図１
2004245020.tif 000002
【特許請求の範囲】
【請求項１】
柱、物の面に１図と３図のような陥凹部と係合凸部を付ける。この物を１段目に高さの異なる、背の低い１図の物と３図の背の高い物のとで、段差がつくように次ぎ次ぎと布設する。この段差の壁面に５図と６図の支え板をはめ込む。２段目からは、３図の背の高いものを組み積み重ねる。
この時３図の背の高いものは、段差の壁面に組み込まれた支え板５図と６図の上面で、段差と組み重なり止まるので、５図と６図のような支え板を使用すれば、簡単に空間、窓が出来る。
ヨコ積みの場合は、８図のような左右に凹部と凸部があるので、５図と６図の支え板の上面に８図のようなものを組み重ねれば、ヨコの空間や窓になる。室内の装飾用に花台にインテリアに、屋外の塀に垣根に生垣に建物に構築物と色々なものに応用出来る。３図の背の高いものの高さをＨとすると段差に５図と６図の支え板を組み込まさつた上に、次の３図の背の高いものが組み重なる時の段差の高さの寸法は、Ｈ／４以上が組み重さなつていると安全度の目安にする。
【請求項２】
面の部分に１図と３図のような換凹部と係合凸部が付いているので、正面に凹部か凸部が来るので、５図と６図のものを今度は取り替え板として、上からはめ込むだけで、取り外し他の物と取り替えも、簡単にだれにでも出来る工法である。建築物、構築物などの壁面に、天上に床面に歩道面に、５図の凸部か６図の凹部かの片方を、壁面に天上面に床面に歩道面に取り付け、もう一方を取り替え板とする。はめ込む面に凸部か凹部を付けておく。建築物や構築物の壁面や天上面や床面には、天上とか止め板とか障害物があり上から横からは、組み込む事が出来ない。このような時は５図の凸部か６図の凹部かの一方を弾力性のある素材を使用して、最後の部分を押し込むと片方が開き組み込む事が出来る。
弾力性のないもの同志の場合は、壁面や天上面や床面に５図の凸部か６図の凹部の片方が、取り付けられるので、障害物があると上から横から、組み込むことは不可能である。
そこで壁面や天上面や床面の初めの１枚か２枚の取り付け板と最後を、１０図と１１図のように一部を平らにした取り付け板を取り付けると簡単に組み込む事が出来る。壁面に天上面に床面に歩道面と色々な場所に使用し、取り替え楽しむ事も出来るし模様と文字になるように取り付けることも出来る。ドアやテイブルや机などにも利用出来る。
【発明の詳細な説明】
「産業上の利用分野」
【００１】
建築・土木・造園業・インテリア・リフオーム・装飾・外装・内装・壁板に天上板に床板にデイスプレイに、塀に垣根に生垣に空間と衝立風窓に欄間風空間と角材花台に利用する。
【００２】
壁面に天上面に床面に・塀にインテリアにリフオームに外装に取り替え板とする。
「従来の技術」
【００３】
従来からのコンクリートブロツク、レンガブロツク、軽量ブロツク、石積ブロツクらは、タテ、ヨコを結合させるのには、メジ剤で接着するか底辺を広げて重量で倒壊を防止する。
【００４】
空間、塀等の窓を作る場合は、空間のあるものを窓空間の付ける場所にメジ剤か接着剤で、取り付けるかくりぬいて空間を作る。垣根、生垢等も空間のあるものを、取り付けて窓を作る。
【００５】
建物や構築物等の正面、壁面、天上面、床面が汚れたり破損した場合は、張り替えるか、塗装するか全面取り換えている。
「発明が解決しようとする課題」
【００６】
ブロツク積み、レンガ積み、軽量ブロツク、石積み等は、タテヨコをメジ剤で接着しなければならないのだ、タテヨコのメジの並びが均一な間隔でなければならないので、きれいな仕上がりにならないので、熟練工でなければ難かしく、日曜大工で主婦が片手間には出来ない。そこで子供でも女性の人でも簡単に組み重ね組み合わせられるブロツクにした。
【００７】
塀積み垣根、生垣などに日曜大工で、子供でも女性の人でも簡単にだれにでも空間窓が作くれる。
【００８】
建築物、構築物の壁面や天上面や床面を、だれにでも簡単に短時間で取り替えられるようにした。
「課題を解決するための手段」
【００９】
四面に陥凹部と係合凸部を付けて、はめ込み式にした。高さの違うものを１段目に順次並べると段差が出来る。２段目からは背の高いものを、組み重ねると上下左右前後かみ合い組み重なる。この背の高いものの両内側の壁に陥凹部と係合凸部がある。この部分に支え板をはめ込むと、背の低いものの上部で支えられる。この谷間に背の高いものを、組み重ねると支え板の高さだけ空間や窓が出来る。
【０１０】
四面に陥凹部か係合凸部が付いているので、正面には陥凹部か係合凸部なる。この陥凹部には５図の係合凸部のはめ込み板を組み入れるとよい。係合凸部の時は、６図の陥凹部のはめ込み板もしくは、取り替え板を組み入れる。取り外す時は取り替え板を抜き取り外すとよい。壁面や天上面や床面などは、障害物があり取り替え板を組み入れられない時は、１０図か１１図のような取り付け板を最後と最後から２番目に取り付ける。
「作  用」
【０１１】
本発明に係る作用は、四面に陥凹か係合凸部が付いたもので、高さの違う２種類のものでなりたつ。１段目に背の高いもの次に背の低いものと順次並べて布設すると段差が出来る。その段差に２段目からは面に凹部か凸部が付いた背の高いものを組み重ねると凹部には凸部が、組み合い組み重なるので、前後左右上下が組み積み重ね組み合うので、メジ剤接着剤なしで構築物が出来る。
【０１２】
この段差の左右内壁に凸部分には、凹部のはめ込み板を支え板として、凹部の内壁部には凸部のはめ込み板を支え板として組み込む。この段差に背の高いものを組み重ねると、はめ込み板が支えとなりはめ込み板の高さだけ空間や窓になる。
【０１３】
四面に凹部か凸部が付いているので、施工後の正面は凹部かか凸部になる。この正面の凹部のものの部分に、今度ははめ込み板を取り替え板として、装飾板として木目や木の色つやを楽しむ取り替え板として使用出来る。正面の凹凸を平面のものに変える事も出来る。取り替え板を四面にはめ込み途中で止めると２図のようなものをつなぐ役割もするし、花ばちも入れられる木台入れ物になる。
【０１４】
木製の角材は水や湿気を吸い晴天の時は、水気を蒸発させる木材の特性がある。これにより温度上昇の抑制に役く立つ働きがある。
「実施例」
【０１５】
１図と３図のように四面に陥凹部か係合凸部が付いた、２種類の木製ブロツクからなる。１図の背の低い木製ブロツクと３図の背の高い木製ブロツクを組み合せ組み重ねるだけで、上下左右前後組み重ね合わさる。
１段目に１図の低い方の木製ブロツクを設置する。次に３図の高い方の木製ブロツクを、低い木製ブロツクに組み込む。組み込み込まれる１図の低い木製ブロツクの内側が、符号２の凸部の時は、高い木製ブロツク３図の組み込む側は、符号３の凹部を組み込み組み合わせる。次３番目は１図の低い木製ブロツクを、３図の高い木製ブロツクにはめ込み組み込ませる。
１図の低い木製ブロツクの隣りには３図の高い木製ブロツクがはめ込み組み合わさる。このように３図の高い木製ブロツクの隣りには１図の低い木製ブロツクが、はめ込み組み込み合わさる。このような方法で段差になるように布設する。
２段目からは３図の高い木製ブロツクを、段差の間にはめ込み組み合わせ組み重ねていくと、４図のような段差ある構築物が出来る。
【０１６】
この段差の両壁に符号３の凹部の壁には、５図の凸部の支え板をはめ込み反対側の壁面凸部符号２の面には、６図の凹部の支え板をはめ込むと、段差の下の木製ブロツクの上面符号１と５の面の１部で止まり支え板となる。段差に３図の高い木製ブロツクをはめ込み組み重ねると、５図と６図の支え板符号４と６の部分で止まるので、５図と６図の支え板の高さだけの空間窓になる。
５図と６図の支え板の高さを替えると、空間も高くなり花バチや物も置く事が出来る。
【０１７】
５図と６図の支え板を１図と３図の木製ブロツクの凹凸部符号３と２の箇所に取り付けて固定すると２図のようになる。このものに３図の木製ブロツクをはめ込み組み重ねると長く高い１本のブロツクになる。花バチ入れとして装飾台と物入れとして使用する。
【０１８】
四面に１図と３図のように凹部と凸部が付いているので、正面には凹部面か凸部面になるので、この面に５図か６図の板を取り替え板として、はめ込むと凹凸部も平面になるし、はめ込み取り外しも簡単に取り替えられるので、木の色ツヤ木目の美くしさや色々な木の優さしさを楽しめる。
【０１９】
５図と６図の板を取り替え板として、建物や構築物の壁面や天上面や床面に設置する時は、５図を取り付け板にすると６図の板は、取り替え板として組み込み取り外し板とする。５図の凸部板を壁面や天上面や床面に取り付け固定する。６図の凹部板は、取り替え板として、取り付け固定された５図の凸部分に取り替え取り外し板として、組み込み取り外す。壁面や天上や床面には、障害物があり上から組み入れる事が出来ない。このような場合は１０図と１１図の板を最後か最後２枚に使用する。今回の場合は５図の凸部板を壁面に取り付けるので、１０図の半凸板を最後２枚取り付け固定する。１０図の符号２の凸部分が４割ぐらいで、あとは平らな面であるので、平らな面より６図の凹部板を取り替え板として差し込。最後の２枚の１０図の半凸板板の取り付け固定方法は、天上から２番目の１０図の半凸板は１０図の符号２の凸部分が、下になるように取り付け固定する。最後の１０図の半凸板は１０図の符号２の凸部が、上になるように取り付け固定する。このように取り付けると、１０図の符号１０の部分がつながるので、平面部分が長くなるので、この部分より６図の凹部取り替え板を差し込む。最後の２枚は１０図の半凸部に、６図の凹部分を取り替え板を２枚山なりにかませて押し込むと完成する。
「発明の効果」
【０２０】
これまで説明したようにだれにでも簡単に組み重ね組み建てられる。メジ剤接着剤で固定しないので、何処えにも移動出来るし組み替えも簡単に出来る。
【０２１】
符号３の凹部か符号２の凸部に５図と６図の支え板をはめ込み組み込込むだけで、空間や窓になる。
【０２３】
はめ込み取り外しがだれでも出来るので、木の材質を替えることにより、木目の美くしさや木の持つ優さしさ、色つやの美くしさを楽しむ事が出来る。
【図面の簡単な説明】
【１図】組み重ねブロツクの低いブロツクの斜視図である。
【２図】四面につなぎ板を固定した、ブロツクの斜視図である。
【３図】組み重ねブロツクの高いブロツクの斜視図である。
【４図】１段目は高いブロツクと低いブロツクを組み合せ段差にし、２段目以上は高いブロツクを組み重ねて、窓や空間を製作した組み重ねブロツクの正面図である。
【５図】用途によりつなぎ板や支え板や取り替え板になる凸板の斜視図である。
【６図】用途によりつなぎ板や支え板や取り替え板になる凹板の斜視図である。
【７図】タテのブロツクとヨコのブロツクを、組み合せ組み重ねて欄間風にヨコの空間を製作した組み重ねブロツクの正面図である。
【８図】ヨコに組み重ねる時のヨコ型ブロツクの斜視図である。
【１０図】障害物がある時の差し込み出し入れ口の、取り替え板と取り付け板の半凸板の斜視図である。
【１１図】障害物がある時の差し込み出し入れ口の、取り替え板と取り付け板の半凹板の斜視図である。
【符号の説明】
１        低いブロツク（タテ型）
２        係合凸部
３        陥凹部
４        つなぎ板、支え板、取り替え板と取り付け板の凹板。
５        高いブロツク（タテ型）
６        つなぎ板、支え板、取り替え板と取り付け板の凸板。
７        ヨコ型ブロツク。
９        取り替え板と取り付け板の半凹板。
１０        取り替え板と取り付け板の半凸板。
2004245020.tif 000003
2004245020.tif 000004
2004245020.tif 000005
2004245020.tif 000006
2004245020.tif 000007
2004245020.tif 000008
2004245020.tif 000009
2004245020.tif 000010
2004245020.tif 000011
2004245020.tif 000012
【手続補正書】
【提出日】平成15年6月10日(2003.6.10)
【手続補正１】
【補正対象書類名】明細書
【補正対象項目名】図面の簡単な説明
【補正方法】変更
【補正の内容】
【図面の簡単な説明】
【図１】組み重ね合せブロツクの低いブロツクの斜視図である。
【図２】四面につなぎ板を組み合わせた、ブロツクの斜視図である。
【図３】組み重ね合せブロツクの高いブロツの斜視図である。
【図４】１段目は高いブロツクと低いブロツクを組み合せ段差にし、２段目以上は高いブロツクを組み重ねて、窓や空間を製作した組み重ね合せブロツクの斜視図である。
【図５】用途によりつなぎ板や支え板や取り替え板になる凸板の斜視図である。
【図６】用途によりつなぎ板や支え板や取り替え板になる凹板の斜視図ある。
【図７】タテのブロツクとヨコのブロツクを、組み合せ組み重ねて欄間風にヨコの空間を製作した組み重ね合せブロツクの斜視図である。
【図８】ヨコに組み重ね合わせた時のヨコ型ブロツクの斜視図である。
【図９】障害物がある時の差し込み出し入れ口の、取り替え板と取り付け板の半凸板の斜視図である。
【図１０】障害物がある時の差し込み出し入れ口の、取り替え板と取り付け板の半凹板の斜視図である。
【符号の説明】
１  組み重ね合せる低いブロツク（タテ型）
２  係合凸部
３  陥凹部
４  つなぎ板、支え板、取り替え板と取り付け板の凹板。
５  組み重ね合せる高いブロツク  （タテ型）
６  つなぎ板、支え板、取り替え板と取り付け板の凸板。
７  組み重ね合せるヨコ型ブロツク。
８  取り替え板と取り付け板の半凹板。
９  取り替え板と取り付け板の半凸板。


【手続補正２】
【補正対象書類名】図面
【補正対象項目名】全図
【補正方法】変更
【補正の内容】
【図１】
2004245020.tif 000013
【図２】
2004245020.tif 000014
【図３】
2004245020.tif 000015
【図４】
2004245020.tif 000016
【図５】
2004245020.tif 000017
【図６】
2004245020.tif 000018
【図７】
2004245020.tif 000019
【図８】
2004245020.tif 000020
【図９】
2004245020.tif 000021
【図１０】
2004245020.tif 000022